(57)【特許請求の範囲】
【請求項１】
中心内腔（１３）と、半径方向に移動可能なボール（１６）を収容する半径方向の穴（１５）を有する環状壁（１４）とを備える基本的に円筒形のロック本体１０と、本体の内腔内で解放位置と、ピストン・ヘッド（２２）がボールを外側に圧迫して本体の表面から突出させるロック位置との間で軸方向に滑動するロック・ピストン（２０）とによって、相互に対して適応される表面を有する２つの部品の一方の第１部品（５）を他方の第２部品（２、９）に組み付けるシステムであって、
ロック本体（１０）が、第１部品の表面に作成された第１穴（７）、および第２部品の表面に作成された第２穴（８）に挿入され、２つの穴は多少であれ同軸であり、前記ロック本体は、ばね推力要素（１８）を通して第１穴の周囲で第１部品の自由面に当てたフランジ（１２）を有し、前記ボール（１６）は、第２部品の自由面（８２）の下に部分的に突出するよう維持され、一方では、第２部品の前記自由面に対して開く第２穴（８）の縁（８１）と角度をつけて接触し、他方では、ピストン・ヘッド（２２）の保持側面（２３）に当たり、前記側面は、各ボールの接触区域に傾斜を提示して、ばね推力要素（１８）によって前記フランジ（１２）に加えた負荷により、本体がボールに加えた軸方向の推力の効果で、各ボールと前記側面との接触によりピストン（２０）をロック位置に維持することを特徴とするアセンブリ・システム。
【請求項２】
前記ばね推力要素が、本体（１０）を囲むテーパ状ワッシャ（１８）であることを特徴とする請求項１に記載されたアセンブリ・システム。
【請求項３】
本体を囲むスナップ・リング（１７）を有し、前記スナップ・リングが、組み付ける部品の穴に本体を挿入する前で、前記ピストン（２０）が解放位置にある場合に、ボール（１６）を本体の穴の後退位置に維持するよう設計され、少なくとも１つの穴（７、８）の直径がスナップ・リング（１７）の外径より小さいことを特徴とする請求項１に記載されたアセンブリ・システム。
【請求項４】
前記本体（１０）が、第１部品に取り付けた１つまたは複数の耳（５１）によって第１部品（５）に結合されて、フランジ（１２）を保持し、前記ばね推力要素（１８）が、前記耳と第１部品の表面（５５）との間に把持されることを特徴とする請求項１に記載されたアセンブリ・システム。
【請求項５】
前記ピストン（２０）が棒（２１）を有し、そのピストン・ヘッドとは反対側の遠端（２８）が、本体より先に突出して、解放工具（４０）を取り付けてピストンをロック位置から外すことができる把持手段（２９）を有することを特徴とする請求項１に記載されたアセンブリ・システム。
【請求項６】
保持側面を越えたピストン・ヘッド（２２）の先端が、スナップ・リング（１７）によって後退位置に保持された場合にボール（１６）を収容する窪み（２５）を有し、前記窪みが、周囲に向かって外方向に曲がる遠縁（２６）を有し、後退位置で前記ボールに軸方向に突き当たることにより、ピストンが本体から外れるのを防止することを特徴とする請求項３に記載されたアセンブリ・システム。
【請求項７】
ボール・ロック・タイプの取付け装置であって、
中心内腔（１３）および半径方向に移動可能なボール（１６）を収容する半径方向の穴（１５）を有する環状壁（１４）を備えた、基本的に円筒形のロック本体（１０）、および本体内腔内で解放位置とロック位置との間で軸方向に活動するロック・ピストン（２０）と、
前記穴（１５）の周囲で本体（１０）を囲み、ボールを本体の外側から封じ込め、前記ボールを自由にするために、本体に沿って軸方向に移動することができるスナップ・リング（１７）とを備え、
請求項１から６いずれか１項に記載のアセンブリ・システムに使用するために、
前記ロック本体（１０）がフランジ（１２）を具備し、該フランジの下にばね推力要素（１８）が前記スナップ・リング（１７）によって軸方向に保持され、
前記ピストンが、
第１に、解放位置にある場合に、ボールを本体内部から封じ込めるため、適切に形成されたヘッド（２２）を有し、この場合、ボールはスナップ・リング（１７）によって外部から保持され、
第２に、意図的に誘発したロック位置へのピストン（２０）の滑動により、保持スナップ・リングの本体に沿った滑動によってボールが解放されたら、それを外側に押すため、適切に形成されたヘッドを有し、ここで前記ボールは本体（１０）の外面に対して突出して、ボールを前記ロック位置に維持することを特徴とし、
ピストン・ヘッド（２２）が、ボール（１６）と協働して、各ボールの接触領域に傾斜を提示する保持側面（２３）も有して、ボールがピストンによってロック位置ないで外側に押し続けられると、前記保持手段に作用して、解放位置へのピストンの自由な動作を防止することも特徴とする取付け装置。
【請求項８】
前記ピストン・ヘッド（２２）は、ボール（１６）がスナップ・リング（１７）によって保持されている限り、ピストンを解放位置に保持する手段（２５）を有することを特徴とする請求項７に記載された取付け装置。
【請求項９】
ピストンを保持する前記手段が、ピストン・ヘッドの円筒面の端区間に作成された窪み形状（２５）で構成され、ボールがスナップ・リングによって前記窪み形状に保持されることを特徴とする請求項８に記載された取付け装置。
【請求項１０】
前記ピストン保持表面は、ピストンがロック位置にある場合に、大径側（２４）がボール（１６）の先に位置するピストンのテーパ状表面（２３）によって形成されることを特徴とする請求項７に記載された取付け装置。
【請求項１１】
請求項１から請求項６までのいずれか１項に記載されたアセンブリ・システムを製造する方法であって、請求項７から請求項１０までのいずれか１項に記載された取付け装置は、ピストン（２０）が解放位置にあり、スナップ・リング（１７）がボールを覆う状態で、組み付ける部品（５、２）の穴（７、８）の反対側に設けられ、スナップ・リング（１７）が表面の１つによって保持されている状態で、ボール（１６）が部分的に第２部品の表面（９）のうち遮られていない表面（８２）より下に位置するまで、装置の本体（１０）を穴に挿入するよう、軸方向の推力（Ｆ）がピストンの突出した端部（２８）に加えられ、ばね推力要素（１８）をフランジ（１２）と第１部品の表面（５５）との間で圧縮するため、推力が保持され、次にピストン（２０）をロック位置へと移動させることを特徴とする方法。
【発明の詳細な説明】
【０００１】
【発明の属する技術分野】
本発明は、特に自動車のシート支持構造を前記車両の床に取り付けるなどに使用することができるボール・ロック・タイプの取付けシステムに関する。
【０００２】
【従来の技術】
このように取り付けるため、例えば縦方向のシート位置調節のためにレール要素を床に取り付けるため、床に結合したナットにボルトをねじ込むか、前記床に結合されたねじ付きスタッドにナットをねじ込むことにより、ねじ込みによる取付け手段が一般的に使用される。その結果、シートを車両の所定の位置に配置する場合には、必然的にねじ込み作業を実行し、これはボルト・ヘッドまたはナットが従来のねじ込み工具でアクセスしにくい場合、常に実用的であるわけではない。
【０００３】
他の場合、例えば傾斜シート・パンまたは完全に着脱可能なシートでシートを後方に取り付ける場合など、特に床へのシートの接続が容易に分離可能でなければならない場合、必要に応じて比較的簡単に解放できるフック・システムまたはボール繋止システムなどの様々なロック可能な繋止システムを使用して、この取付けを実行することが知られている。
【０００４】
一般的には、これらのシステムは、シートを使用位置に入れると自動的にロックするよう設計されている。ロック解除は、繋止システムをロック解除するために引っ張るか、回転することができるハンドルなどの制御構成要素によって保証される。多くの繋止機構では、ロック解除すると、アクチュエータが多少線形変位して、繋止手段、ボールまたはフックを解放し、シートに取り付けられた繋止構成要素が、車両の床に取り付けた繋止構成要素から外れるよう、これらが動作することができる。
【０００５】
このアクチュエータは、次の２つの位置を有する。
−シートを床に繋止した場合にのみ得られるロック位置。
−シートが床に繋止されていない限り維持される解放位置。
【０００６】
解放位置からロック位置への変化は、通常、シートを床上の所望の繋止位置に入れた場合のみ、自動的に実行される。ロック位置から解放位置への変更には、使用者による制御構成要素の意図的な作動が必要である。
【０００７】
参考までに、知られているボール繋止システムは、通常、管の壁に切った幾つかの半径方向の穴を有する管状本体を備える。肉厚を超える直径のボールを各穴に配置する。アクチュエータは、管内で滑動し、テーパ状区間を有して、本体の穴と同じ高さであるピンであり、これがボールをさらに外側に押して、ピンを軸方向に動作させる。シートに取り付けた管状本体は、ロック位置では、床にある対応する直径の穴に挿入され、ピンはばねによって下方向に押下され、したがってそのテーパ状区間がボールを外側に押しやり、これを床の穴の縁より下で管の外側を越えて突出させ、それによって管状本体の引き抜きを防止する。繋止システムを解放するには、様々な制御手段によって、ばねの力に抗してピンを引き上げ、したがってボールが管状本体の外面に対して後退位置へと半径方向内側に移動できるようにする。ボールは、繋止システムを床の穴から引き抜く場合に、これを覆う外部滑動リングによって、この位置に保持される。つまり、シートを使用位置に引き戻す場合、管状本体が床の穴に挿入されていれば、前記リングが床によって押し戻されていない限り、ピンは、そのロック位置に戻ることができない。したがって、ピンの位置は、シートがロックされているか否かを示す。ボール・ロック・システムに関するさらなる情報は、例えばフランス特許第２７２８３１７号、フランス特許第２７３５１７４号、フランス特許第２６９９９７３号、フランス特許第２７７１４３９号の文献に見ることができる。
【０００８】
分かるように、このようなボール繋止システムは比較的複雑であり、実際のロック動作を保証するためばかりでなく、要求に応じた解放および自動再ロックを制御するために、幾つかの構成要素を必要とする。信頼性を保証するために高精度の構成要素を使用する必要があり、したがって費用がかかる。
【０００９】
知られているタイプのフックまたはカム繋止システムなど、信頼性が高いが容易に分離可能なシートの床への取付けを保証する他の繋止システムが、既に知られているが、これらの多くの構成要素を特徴とし、その一部は確実なロックおよび容易なロック解除に必要とされる機能を保証するため、他に対して移動可能であるか、蝶番で接続されている。
【００１０】
したがって、これらのシステムの使用は、着脱式または少なくとも傾斜するシートにとって正当とすることができ、ここで取付けシステムは、シートを操作するために容易に解放できねばならない。しかし、これらのシステムは複雑すぎ、したがって例外的な保守作業以外で床から除去または分離することが意図されていないシートでは、費用がかかりすぎる。
【００１１】
【発明が解決しようとする課題】
したがって、本発明は、上述した分離可能な繋止システムより単純で費用がかからないが、迅速かつ簡単に実現され、例えばねじ込み取付けシステムの上述した欠点を呈さず、容易に自動化することができる取付けシステムを提供することを目的とする。これは、特に、少ない構成部品で、したがって製造費を削減してロボットで取り付けることができる取付けシステムを提示することを目的とする。これは、部品の生産、および床に対するシートおよび取付け手段の相対的位置に高度の精度を必要とせず、任意のシートの異なる取付け点間に不可避的な寸法の分散を容易に受け入れることも目的とする。さらに、概ね永久的で限定的であるが、にもかかわらず例えば修理店などで特定ではあるが単純な工具を使用して外すことができる取付けシステムを提供することを目的とする。
【００１２】
【課題を解決するための手段】
これらの目的を鑑みて、本発明の主題は、ボール繋止装置によって第１部品を第２部品に組み付けるシステムであって、基本的に、中心内腔および半径方向に移動可能なボールを収容する半径方向の穴を特徴とする環状壁を備えた基本的に円筒形のロック本体、および本体内腔内で解放位置とロック位置との間で軸方向に滑動するロック・ピストンを備え、ピストン・ヘッドがボールを外側に圧迫し続け、本体の外壁より先まで突出し、２つの部品が相互に対して当てられる表面を有することを特徴とする。
【００１３】
本発明によると、アセンブリ・システムは、ロック本体を、第１部品の表面に作成した第１穴、および第２部品の表面に作成した第２穴に挿入し、２つの穴が多少同軸であり、ロック本体が、ばね推力要素を通して第１穴の周辺で第１部品の自由面に当てたフランジを有し、ボールが、第２部品の自由面の下に部分的に突出する状態で維持され、一方では第２部品の前記自由面へと開く第２穴の縁と角度をつけて接触し、他方ではピストン・ヘッドの保持側面に当たり、前記側面は、各ボールとの接触区域に傾斜または斜面を提示し、したがってばね推力要素によってフランジに加えられた負荷により、本体によってボールに加えられる軸方向の推力の効果で、各ボールが前記側面に接触することにより、ピストンがロック位置に維持されることを特徴とする。
【００１４】
したがって、アセンブリは、自動ロックを保証するためピンに作用する推力ばね、または容易に解放するため前記ピンに関連する制御構成要素など、知られているボール繋止システムに習慣的に使用されている手段を特徴としないボール・ロック装置で構成される。しかし、これは、装置を大幅に単純化する方法で、ピストン・ヘッドによってボールを保持することと、ばね推力要素の作用で本体をボールに押し付けることとの組合せであり、これによりボールを第２部品の穴の縁に「梗塞」することによってロックする。以下の説明で、システムがいかに機能するかが、より明快に理解されるが、その単純性は既に気づくことができる。ロック本体、ボールおよびピストン以外に、これは以下でさらに見られるように、ばね推力要素、およびボールを一時的に保持することとばね推力要素を保持することとの両方の働きをするスナップ・リングも備える。ロック本体およびピストンの製造は、精密機械加工作業を必要とせず、特にボールがその窪みから逃げるのを防止するために、本体にかしめ作業を実行する必要もない。
【００１５】
ばね推力要素は、本体を囲むテーパ状ワッシャであることが好ましく、その特徴は、必要な締め付け力を確保しながら、取付け中に追加の弾性変形を受け入れるよう決定され、例えばボールと接触する部品の表面の衝撃めっきなどにより、使用中に発生するような変形または摩耗を補償することもできる。
【００１６】
ピストン・ヘッドの保持側面の傾斜は、前記保持側面を、ピストンがロック位置にある時に大径側がボールを越えて位置する状態で円錐台の形態に作成することによって獲得される。この配置構成により、ピストンは、ボールが前記テーパ状表面に加えた推力によってロック位置に入れられた場合、その位置に自動的に維持される。
【００１７】
組み付ける部品の穴に挿入する前に、ピストンが解放位置にある状態で、ボールを本体の穴に引っ込めた状態で維持するため、スナップ・リングを本体の周囲に配置し、前記スナップ・リングは、本体を穴に挿入すると、自動的に軸方向に押し戻され、穴のうち少なくとも１つ、特に第２部品の穴は、スナップ・リングの外径より小さい直径である。
【００１８】
装置をアセンブリの第１部品に予め装着する本発明の特定の生産方法によると、本体は、第１部品に結合された１つまたは複数の耳によって第１部品に取り付けられ、フランジおよびばね推力要素を前記耳と第１部品の表面間に把持状態で保持する。
【００１９】
さらに別の配置構成によると、
−ピストンは棒を有し、そのピストン・ヘッドとは反対側の端部は、本体より先に突出して、ピストンをロック位置から移動させるために解放工具を取り付けることができる把持手段を有する。したがって、アセンブリは、保守作業のために外すことができ、その様々な構成要素は、これも以下でさらに説明するように、修理作業の後に再使用するため戻すことができる。
【００２０】
本発明の技術内容は、
−中心内腔および半径方向に移動可能なボールを収容する半径方向の穴を有する環状壁を備えた、基本的に円筒形のロック本体、および本体内腔内で解放位置とロック位置との間で軸方向に滑動するロック・ピストンと、
−穴の周囲で本体を囲み、ボールの半径方向外側への動作を一時的に防止し、前記ボールを自由にするために、本体に沿って軸方向に移動することができるスナップ・リングと、を備えるボール・ロック・タイプの取付け装置でもあり、
この装置は、以上で定義したようなアセンブリ・システムに使用するために、
−ロック本体が、前記スナップ・リングによってばね推力要素を軸方向に保持するフランジを有し、
−ピストンが、
−第１に、解放位置にある場合に、ボールを本体内部から封じ込めるため、適切に形成されたヘッドを有し、この場合、ボールはスナップ・リングによって外部から保持され、
−第２に、意図的に誘発したロック位置へのピストンの滑動により、保持スナップ・リングが本体に沿って滑動したためにボールが解放されたら、それを外側に押すため、適切に形成されたヘッドを有し、ここで前記ボールは本体の外面に対して突出して、ボールを前記ロック位置に維持することを特徴とし、
ピストン・ヘッドが、ボールと協働して、各ボールの接触領域に傾斜を提示する保持側面も有し、したがって、ボールがピストンによってロック位置内で外側に押し続けられると、前記保持手段に作用して、解放位置へのピストンの自由な動作を防止することも特徴とする。
【００２１】
特定の配置構成によると、ピストン・ヘッドは、ボールがスナップ・リングによって保持されている限り、ピストンを解放位置に維持するための手段を有する。保持側面を越えたピストン・ヘッドの先端は、スナップ・リングによって後退位置に保持された場合にボールを収容する窪みを有することが好ましく、前記窪みは、周囲に向かって外側にフレア状に開き、後退位置で前記ボールと軸方向に突き当たることにより、ピストンが本体から出るのを防止する遠縁を有する。この配置構成は、装置を設置する前に、ピストンが本体から偶発的に引き抜かれるのを防止することにより、取付け装置の構成要素を相互に保持することを保証する。
【００２２】
本発明の技術内容は、さらに、以上で定義したようなアセンブリ・システムを作成するプロセスにも関し、プロセスは、これも以上で定義されたような取付け装置が、ピストンが解放位置にあり、スナップ・リングがボールを覆う状態で、組み付ける部品の壁の対向する穴上で提供され、スナップ・リングがこれらの壁の１つによって保持されている状態で、ボールが部分的に第２部品の自由表面より下に位置するまで、装置の本体を穴に挿入するため、軸方向の推力がピストンの突出した端部に加えられ、ばね推力要素をフランジと第１部品の壁との間で圧縮するため、推力が保持され、次にピストンをロック位置へと完全に元の位置へと移動させることを特徴とする。
【００２３】
推力は、例えばピストン棒の突出端部にハンマーで衝撃力を加えるなど、衝撃によって獲得することが好ましい。ロック本体に取り付けることができる特殊な取付け工具を使用し、それによってピストン棒の端部への直接的な打撃を回避することがさらに好ましい。衝撃力は、例えば空気圧打撃工具によって提供してもよい。
【００２４】
他の特徴および利点は、本発明に従った取付け装置の生産の例、および自動車のシート装着レールを前記車両の床に取り付けるためにそれを使用する方法に関する以下の説明で明白になる。
【００２５】
【発明の実施の形態】
図１の図面は、シート位置を縦方向に調節できるようにする一組のレール３により、車両の床２に装着する前記車両のシート１を示す。自明の方法で、シート・パンの枠は上部レール要素４に取り付けられ、シートには通常、床２に装着する状態の一組のレールが供給される。下部レール要素５はＵ字形溝の形材で、本発明によるボール・ロック装置により床に固定され、これはレール下部要素の底部を形成する表面５５の穴７、および床および穴の下で床の下側に溶接される強化部９の穴８に入る。
【００２６】
図２の図面は、設置する前に、レール５の底部５５および床、特に床強化部９それぞれに作成した穴７および８と同軸に配置された取付け装置６を示し、レール５の底面５５は、これを固定しなければならない床２に載っている。
【００２７】
取付け装置６は、基本的に円筒形の本体１０を備え、その下端は、設置中に本体が穴７および８に入るのを容易にする尖り先１１を形成する。本体の上端はフランジ１２を構成している。内腔１３が本体内に同軸で作成されて、環状壁１４を画定し、これに幾つかの穴１５、例えば３個の穴を半径方向に穿孔して、ボール１６を収容し、したがってこれは前記穴の中で半径方向に移動することができる。ボールの直径は、壁１４の厚さよりはるかに大きく、例えば１．５から２ｍｍの壁の厚さに対して３ｍｍの直径で、本体は、１２ｍｍの外径を有する。これらの値は、言うまでもなく純粋に例示によってのみ与えられ、決して制限的ではない。
【００２８】
ピストン２０が、本体の内腔１３に挿入される。これは、本体の上端から突出する棒２１、および大径が円筒形本体１３のそれとほぼ等しいヘッド２２を有する。ピストン・ヘッド２２は上部テーパ状区間２３を有し、その小径面が棒２１と合い、棒から離れた側部に、つまり図面で図示した状態で底部に向かう側に大径ベースを有する。大径領域２４に対してテーパ状区間２３の他方側では、ピストン・ヘッドは下端区間２５を有し、その表面は、円環体部分を形成して、したがって断面で見ると、半径がボールの半径にほぼ等しい円弧を形成する。この下端区間は、さらに、トロイダル領域２５の最も窪んだ部分より直径が大きい端肩２６を形成する。
【００２９】
ボール繋止装置を設置する前に、ボールは個々の窪みに維持され、穴１５の周囲で本体を囲むスナップ・リング１７により、本体の外面より先までの突出が防止される。ピストン２０は、ピストン・ヘッドのトロイダル領域２５に対して、内腔の内部へと押しやられたボール１６と係合することにより、図２に示す解放位置に維持される。ピストン・ヘッドの端肩２６は、前記肩がボールに突き当たるので、ピストンが本体から逃げるのを防止する。スナップ・リング１７は、フランジ１２の下で本体を囲むテーパ状ばねワッシャ１８の軸方向の保持も保証する。
【００３０】
スナップ・リングは、例えば鋼のスリーブを分割して作成し、ボールを保持するのに十分な弾力性を与えるが、以下で理解されるように、過度の力を加える必要なく、本体に沿って滑動できるようにする。
【００３１】
設置工具３０は、通常、工具本体３１で形成され、その中に、ばね３４によって上面３３に圧迫状態で保持された滑動アンビル３２が配置される。工具本体の下面３５は、適切なサイズのセンタリング・ブッシュ３６を有して、自身を内腔１３の上端内でセンタリングし、センタリング・ブッシュは、ピストン棒２７の上端２８がアンビル３２の下側に位置するまでこれを挿入することができる開口３７を形成する。また、アンビルは、打撃ヘッド３８を含み、これは工具本体の上に突出して、ハンマーまたは空気圧打撃工具（図示せず）によって打撃されるよう設計される。
【００３２】
アセンブリを作成するには、本体の下端１１を、図３に示す中間位置まで穴７および８に挿入し、ここで装置は、スナップ・リング１７と接触して床に載り、穴８の周囲を囲む床強化部９に当たる。次に、テーパ状ワッシャ１８が、レール５の下面５５に載る。
【００３３】
レールの穴７の直径は、本体の外径より大幅に大きく、特にスナップ・リング１７の外径より大きくて、したがってスナップ・リングは、レールの穴７を通過することにより、床強化部９に当たることができる。逆に、前記床強化部９の穴８は、機能的クリアランスを考慮に入れて、ロック１０の本体とほぼ同じ直径であり、したがって特にスナップ・リング１７の外径より小さいので、スナップ・リングは、本体を前記穴８にさらに深く挿入すると、フランジに向かって自動的に押し戻される。
【００３４】
しかし、レールの穴７は、レールの穴と床の穴の位置の寸法差を補償するため、本体の断面より非常に大きくてもよい。にもかかわらず、レールの穴は、テーパ状ワッシャ１８の外径より十分に小さいままで、ワッシャと穴７の全周にあるレールの表面との接触を保証する。
【００３５】
取付け装置を図３で示すように配置すると、工具３０は取付け装置の本体上に配置される。
【００３６】
矢印Ｆで表したアンビル３２に加えた推力または衝撃の効果により、および工具３０のばね３４の剛性に対して本体１０上のスナップ・リング１７の滑動抵抗が比較的小さいために、工具の下面３５がフランジ１２を下方向に押して、本体１０を穴７および８にさらに深く挿入し、スナップ・リング１７をフランジに向かって移動させ、それによりボールが収容された穴１５の覆いを取る。
【００３７】
ボールが、強化部９の遮られていない下面８２より完全に下に下降しない限り、本体から逃げられないことが分かる。常に穴８の壁によって保持されているからである。
【００３８】
したがって、本体１０の動作は、フランジ１２が図４に示すようにテーパ状ワッシャ１８に突き当たるまで続き、それを圧縮し始める。アンビルに加えられた衝撃の推力または動的効果は続くが、ワッシャの圧縮力は、装置本体の、したがって工具３０の本体３１の動作に逆らうようなレベルに到達し、その結果、アンビル３２は工具の本体内で滑動することにより、その動作を継続し、それによってばね３４を圧縮する。
【００３９】
次に、アンビルは、ピストン棒２１の上端２８と接触して、ピストンを下方向に押し、図５で示すような床強化部９の下面８２と同一水準の穴の縁８１と接触するまで、ボール１６を本体１０の外面を越えて突出させる。ピストンは移動の終点で、本体１０の内腔１３の底部に到達し、端肩２６は内腔の底部１９に突き当たり、ピストン・ヘッド２２のテーパ状区間２３がボール１６と同一水準になる。このように、ロックが保証され、工具３０を外すことができ、取付け装置は図５および図６に示す位置に保持される。
【００４０】
この位置で、システムの安定性は、レールの底部５５を押下することによって、テーパ状ワッシャ１８が本体１０に加えるばね戻り力Ｆ１により保証され、前記本体を押し上げる傾向がある。この推力は、ボールの窪みを通して矢印Ｆ２の方向で、およびボールがピストン・ヘッドのテーパ状区間２３と接触することにより矢印Ｆ３の方向で、ボールに伝達および分配される。このように各ボールに加えられた力は、ボールが穴８の縁８１に加える軸受け圧力Ｆ４で平衡をとり、縁は、図５および図６に明白に示すように、床強化部９の下面８２の面よりわずかに上に突出するボールの位置により、傾斜する。
【００４１】
また、ボールがテーパ状区間２３に加える反応力の方向は、前記テーパのために下方向に角度がつくことも分かる。その結果、ピストンは、ボール１６によってテーパ状区間２３に加えた、ボールによる穴８の縁への軸受け圧力Ｆの角度により生じた圧力で、内腔の底部と接触してロック位置にしっかり保持される。
【００４２】
しかし、アセンブリを外し、取付け装置を除去できるため、例えば図６に示すようなピストン棒２１の上端２８付近に作成した円形溝２９など、ピストンを引き抜く手段を設け、それにエルボ状取り外し工具４１のフォーク４１を係合することができる。前記工具を使用しててこの力を加え、図６に示すようにエルボをフランジ１２の上面に載せることにより、十分な力を棒２１に加えながら、同時にばねワッシャ１８をさらに少々圧縮して、前述した力を克服し、ピストンを本体から引き抜くことができる。次に、ボールを本体内に引っ込め、装置を外すことができる。ボールはもはやスナップ・リング１７によって保持されていないので、逃げることができ、同様にピストンを本体から完全に引き出すことができる。これで、ピストンおよびボールを元の位置に戻し、スナップ・リングを、図２に示す位置で本体およびボールの周囲で所定の位置に取り付けてアセンブリをまとめることにより、装置を再調整すれば十分である。
【００４３】
図７に示す変形では、装置の本体が、例えばレール要素５などによって構成された第１部品上に、溶接部５２によって表面５５に結合されたエルボ状耳５１によって、耳の一方の翼５３がフランジ１２の頂部と重なる状態で保持される。したがって、装置は、テーパ状ワッシャで予めわずかに応力がかかっているので、組立前に部品５上にしっかり保持されるが、それでも組立中に横方向に滑動させることにより、その位置を適応させ、困難なくロック１０の本体を床の穴８に入れ、自動的にセンタリングすることができる
【００４４】
本発明は、例示によってのみ上記で説明した実施形態および用途には制限されない。特に、アセンブリ・システムの用途は、シートの自動車の床への説明された取り付けに決して制限されない。
【００４５】
さらに、上述した例では、ロック本体１０と穴７の縁との間のスペースを使用して、スナップ・リング１７が床強化部９によって保持された場合に、これを収容する。組み立てる２つの部品の穴を容易に位置合わせできる場合、またはロック本体を穴のセンタリング装置として使用する場合にも、２つの穴を同じ直径に穿孔することができ、推力、ばねの戻り、およびテーパ状ワッシャのクリアランス占有機能、またはこれらの機能を満足することができる他の構成要素にとって有害にならずに、スナップ・リング１７が突き当たって、第１部品の表面上に保持できるよう、本体の上部分およびフランジを設計することができる。
【図面の簡単な説明】
【図１】シートおよびそれを床に組み付ける構成要素の部分斜視および分解図である。
【図２】設置前で、設置工具といっしょに組み付ける部品の上に提供された取付け装置の断面図である。
【図３】アセンブリの作成におけるその後の段階を示す。
【図４】アセンブリの作成におけるその後の段階を示す。
【図５】アセンブリの作成におけるその後の段階を示す。
【図６】取付け装置の取り外しを示す。
【図７】組み付ける第１部品に装置を予め装着する別の実施形態の図２と同様の図を提示する。
【符号の説明】
１  シート
２  床
３  レール
４  上部レール要素
５  下部レール要素
６  取付け装置
７  強化部
８  穴
９  強化部
１０  本体
１１  尖り先
１２  フランジ
１３  内腔
１４  壁
１６  ボール
２０  ピストン
２１  棒
２２  ヘッド
２３  テーパ状区間
２４  大直ベース
２５  下端区間／トロイダル区域
２６  肩
２７  ピストン棒
２８  上端
２９  溝
３０  工具
３２  アンビル
３３  上面
３４  ばね
３５  下面
３６  センタリング・ブッシュ
４１  フォーク／取り外し工具
５２  溶接部
５３  翼
５５  表面
８１  縁
８２  下面／底部
【図１】
0003727576.tif 000002
【図２】
0003727576.tif 000003
【図３】
0003727576.tif 000004
【図４】
0003727576.tif 000005
【図５】
0003727576.tif 000006
【図６】
0003727576.tif 000007
【図７】
0003727576.tif 000008